【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】
遊技盤面上に球を打ち出す遊技で所定の条件が成立すると、遊技者に有利な遊技状態を発生させる遊技機において、
遊技盤面上に設けられた可変入賞装置、可変表示装置、および保留表示装置と、これら各装置を制御する遊技制御装置とを有して成り、
前記可変入賞装置は、球の入賞が困難な通常の閉状態と、球の入賞が容易な開状態とに開閉可能に設けられ、その入賞領域の一部に特別入賞領域を備え、
前記可変表示装置は、各種図柄が入れ替わり変化した後に停止する図柄変動を表示可能に設けられ、
前記保留表示装置は、前記図柄変動を実行する権利の保留回数を表示可能に設けられ、
前記遊技制御装置は、遊技中に所定の始動条件が成立した場合に、前記可変入賞装置を１ないし数回開閉させる初期開閉動作を実行し、該初期開閉動作中に、前記特別入賞領域に球が入賞した場合に、前記可変表示装置で図柄変動を実行し、該図柄変動の結果が複数種類ある当たり表示の何れかに確定した場合に、各当たり表示に対応した所定回数だけ前記可変入賞装置を開閉させる特別開閉動作を実行し、
かつ前記特別開閉動作中に、前記特別入賞領域に球が入賞した場合に、その入賞球数に相当する前記図柄変動の保留回数を前記保留表示装置に表示させると共に、前記特別開閉動作が終了次第、前記保留回数を順次消化しつつ、再び図柄変動ないし特別開閉動作を繰り返し実行するように設定されたことを特徴とする遊技機。
【請求項２】
前記可変入賞装置は、それぞれ回動可能に軸支された一対の可動片を有し、各可動片を開閉することで前記開状態と閉状態とに切り替わるように構成されたことを特徴とする請求項１記載の遊技機。
【請求項３】
前記可変入賞装置の一対の可動片の間に入賞口が開設され、該入賞口内の入賞領域の一部に設けられた前記特別入賞領域は、他の入賞領域に比べて入賞確率が低くなるように設定されたことを特徴とする請求項２記載の遊技機。
【請求項４】
前記特別開閉動作中において、可変入賞装置に所定数の球が入賞した際に、該特別開閉動作が途中でも終了するように設定されたことを特徴とする請求項１，２または３記載の遊技機。
【手続補正２】
【補正対象書類名】明細書
【補正対象項目名】０００２
【補正方法】変更
【補正の内容】
【０００２】
【従来の技術】
従来、パチンコ機には一般に、第１遊技を行うパチンコ機や、第２遊技を行うパチンコ機など、異なる遊技内容を楽しめる様々なパチンコ機が存在する。
【手続補正３】
【補正対象書類名】明細書
【補正対象項目名】０００３
【補正方法】変更
【補正の内容】
【０００３】
第１遊技を行うパチンコ機では、遊技盤面上に開設された始動入賞口に球が入賞すると、液晶画面等から成る可変表示装置に各種図柄がスクロール表示される。そして、スクロール停止後の図柄の組み合わせが当たりに相当すると、特賞状態が発生して、大口入賞口が所定回数を限度に繰り返し開閉するように設定されている（以下、この種遊技内容については第１遊技と称す。）。
【手続補正４】
【補正対象書類名】明細書
【補正対象項目名】０００４
【補正方法】変更
【補正の内容】
【０００４】
また、第２遊技を行うパチンコ機では、同じく始動入賞口に球が入賞すると、メイン役物の羽根とよばれる可動片が開状態となり、１０個等の所定数の球がメイン役物の内部に球が取り込まれた時点で可動片を閉じるようになっている。また、可動片を開いてから閉じるまでの間に取り込まれた球がメイン役物の内部に設けられたＶゾーンと呼ばれる入賞口にさらに入賞すると、可動片が所定の最大回数を限度に繰り返し開放されるようになっている（以下、この種遊技内容については第２遊技と称す。）。
【手続補正５】
【補正対象書類名】明細書
【補正対象項目名】０００５
【補正方法】変更
【補正の内容】
【０００５】
【発明が解決しようとする課題】
しかしながら、前述した従来の遊技機では、第１遊技を行う遊技機および第２遊技を行う遊技機は、それぞれ第１遊技機種、第２遊技機種の属する種別の範疇において興趣を高めるための各種工夫を加えていたので、どうしても機種ごとに遊技内容が類型化してしまい、遊技内容がマンネリ化して新鮮味に欠けてしまうという問題があった。
【手続補正６】
【補正対象書類名】明細書
【補正対象項目名】０００６
【補正方法】変更
【補正の内容】
【０００６】
本発明は、このような従来の技術が有する問題点に着目してなされたもので、従来の異なる遊技内容間における遊技内容を融合させて、全く新しい遊技内容を演出することにより、遊技者のスリルと興奮を十分に喚起できる興趣に富んだ遊技機を提供することを目的としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２１
【補正方法】変更
【補正の内容】
【００２１】
以上のように、従来の異なる遊技内容間における遊技内容を融合させて、全く新しい遊技内容を演出することにより、遊技者のスリルと興奮を十分に喚起することが可能となり、長期間にわたって変化に富むゲーム内容を遊技者に提供することができる。
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】変更
【補正の内容】
【００３２】
【発明の実施の形態】
以下、図面に基づき、本発明を代表する実施の形態を説明する。
図１〜図５は本発明の第１実施の形態に係る遊技機１０を示している。
本遊技機１０は、遊技盤面１１上に球を打ち出す遊技で所定条件が成立すると、遊技者に有利な遊技状態（可変入賞装置４０の特別開閉動作等。）が発生するパチンコ機である。本遊技機１０は、第１遊技を行う遊技機と、第２遊技を行う遊技機の機能を融合させて、新しい遊技を実現できるように構成されている。
【手続補正２３】
【補正対象書類名】明細書
【補正対象項目名】００８３
【補正方法】変更
【補正の内容】
【００８３】
以上のように、従来の異なる遊技内容間における遊技内容を融合させて、全く新しい遊技内容を演出することにより、遊技者のスリルと興奮を十分に喚起することが可能となり、長期間にわたって変化に富むゲーム内容を遊技者に提供することができる。
【手続補正２４】
【補正対象書類名】明細書
【補正対象項目名】００９０
【補正方法】変更
【補正の内容】
【００９０】
【発明の効果】
本発明に係る遊技機によれば、従来の異なる遊技内容間における遊技内容を融合させて、全く新しい遊技内容を演出することにより、遊技者のスリルと興奮を十分に喚起することが可能となり、長期間にわたって変化に富むゲーム内容を遊技者に提供することができる。
【手続補正２５】
【補正対象書類名】明細書
【補正対象項目名】００９１
【補正方法】削除
【補正の内容】